(57)【要約】【課題】コストの増大を抑えつつ小型化を図る。【解決手段】メモリカード用ソケットは、メモリカードＭＣが挿抜自在に装着されるソケット本体Ａと、ソケット本体Ａに装着されたメモリカードＭＣのアンテナ１００と対向する２次アンテナ４０を有したアンテナブロックＢとを備える。故に、メモリカードＭＣに対向配置されたアンテナブロックＢの２次アンテナ４０によってメモリカードＭＣの通信距離を延ばすことができる。しかも、従来のメモリカード用ソケットとほぼ同じ構造のソケット本体ＡにアンテナブロックＢを追加するだけで済むから、コストの増大を抑えつつ小型化が図れる。【選択図】        図１
2006318216.tif 000002
【特許請求の範囲】
【請求項１】
アンテナを介した非接触通信によって外部とのデータ授受を行う集積回路を内蔵したメモリカードが挿抜自在に挿着されるソケットであって、メモリカードが挿抜自在に装着されるソケット本体と、ソケット本体に装着されたメモリカードのアンテナと対向する２次アンテナを有するアンテナブロックとを備え、ソケット本体は、前方に開口したカード挿入口を通してメモリカードが内部に挿入されるハウジングと、ハウジング内に設けられメモリカードが有する接続端子に接触導通する複数のコンタクトと、ハウジング内でメモリカードの挿抜方向にスライド自在に設けられカード挿入口から挿入されるメモリカードに連動してハウジング内をスライド移動するスライド部材と、ハウジングに対してカード挿入口に向かう向きにスライド部材を付勢する付勢手段と、メモリカードの接続端子がコンタクトに接触する保持位置よりも奥のロック位置までスライド部材が押し込まれるとスライド部材のカード挿入口へ向かう向きへの移動を禁止するとともに、スライド部材がロック位置よりも奥まで一旦押し込まれた状態で押力が解除されるとスライド部材を解放するロック手段とを具備し、アンテナブロックは、２次アンテナと、２次アンテナを保持するとともにハウジング外でスライド部材と連結された保持体とを具備することを特徴とするメモリカード用ソケット。
【請求項２】
アンテナを介した非接触通信によって外部とのデータ授受を行う集積回路を内蔵したメモリカードが挿抜自在に装着されるソケットであって、メモリカードが挿抜自在に装着されるソケット本体と、ソケット本体に装着されたメモリカードのアンテナと対向する２次アンテナを有するアンテナブロックとを備え、ソケット本体は、前方に開口したカード挿入口を通してメモリカードが内部に挿入されるハウジングと、ハウジング内に設けられメモリカードが有する接続端子に接触導通する複数のコンタクトと、ハウジング内でメモリカードの挿抜方向にスライド自在に設けられカード挿入口から挿入されるメモリカードに連動してハウジング内をスライド移動するスライド部材と、ハウジングに対してカード挿入口に向かう向きにスライド部材を付勢する付勢手段と、メモリカードの接続端子がコンタクトに接触する保持位置よりも奥のロック位置までスライド部材が押し込まれるとスライド部材のカード挿入口へ向かう向きへの移動を禁止するとともに、スライド部材がロック位置よりも奥まで一旦押し込まれた状態で押力が解除されるとスライド部材を解放するロック手段とを具備し、アンテナブロックは、２次アンテナと、２次アンテナを保持する保持体と、ハウジング外でメモリカードの挿抜方向に沿って保持体をスライド自在に支持する支持手段と、ソケット本体に対してメモリカードが抜かれる向きに保持体を付勢する付勢手段とを具備し、ハウジングのカード挿入口近傍に設けられアンテナブロックの保持体のメモリカードが抜かれる向きへの移動を規制する規制手段を備えたことを特徴とするメモリカード用ソケット。
【請求項３】
２次アンテナは、スライド部材がロック位置にあるときにメモリカードのアンテナと対向し且つ対向方向におけるメモリカードのアンテナの投影範囲を囲む形状及び寸法に形成されたことを特徴とする請求項１又は２記載のメモリカード用ソケット。
【請求項４】
アンテナブロックは、保持体に実装されて２次アンテナの共振周波数を調整する電子部品を具備したことを特徴とする請求項１〜３の何れかに記載のメモリカード用ソケット。
【発明の詳細な説明】
【技術分野】
【０００１】
本発明は、ＳＤメモリカードやマルチメディアカード（ＭＭＣカード）のようなメモリカードに非接触通信によって外部とのデータ授受を行うＩＣカード機能を持たせたメモリカードを挿抜自在に接続するためのメモリカード用ソケットに関するものである。
【背景技術】
【０００２】
従来、デジタルカメラや携帯電話機などの電子機器におけるデータ記憶手段として、カード型のハウジングにフラッシュメモリのような不揮発性メモリを内蔵したメモリカード、例えば、ＳＤメモリカードやマルチメディアカードが急速に普及してきた。そして、かかるメモリカードを挿抜自在に接続するためのメモリカード用ソケットとして、前方に開口したカード挿入口を通してメモリカードが内部に挿入されるハウジングと、ハウジング内に設けられメモリカードが有する接続端子に接触導通する複数のコンタクトと、ハウジング内でメモリカードの挿抜方向にスライド自在に設けられカード挿入口から挿入されるメモリカードに連動してハウジング内をスライド移動するスライド部材と、ハウジングに対してカード挿入口に向かう向きにスライド部材を付勢する付勢ばねと、メモリカードの接続端子がコンタクトに接触する保持位置よりも奥のロック位置までスライド部材が押し込まれるとスライド部材のカード挿入口へ向かう向きへの移動を禁止するとともに、スライド部材がロック位置よりも奥まで一旦押し込まれた状態で押力が解除されるとスライド部材を解放するプッシュオン・プッシュオフ型のロック機構とを備えたものが従来より提供されている（例えば、特許文献１参照）。
【０００３】
上記のようにプッシュオン・プッシュオフ型のロック機構を備えたメモリカード用ソケットにメモリカードを接続する際は、メモリカードをハウジングに挿入して押し込むと、スライド部材がメモリカードを介して押力を受け、メモリカードの接続端子がコンタクトに接触する保持位置よりもやや奥のロック位置まで移動したときに、カード挿入口へ向かう向きへのスライド部材の移動がロック機構によって禁止され、メモリカードへの押力を除去した後にもメモリカードが保持位置に留まることになる。一方、メモリカードを抜く際には、ロック位置よりも少し奥にメモリカードを一旦押し込んでからメモリカードへの押力を除去すると、ロック機構がスライド部材を解放し、メモリカードがスライド部材を介して付勢ばねのばね力を受け、ハウジングから押し出される。
【０００４】
ところで、非接触通信によって外部とのデータ授受を行うＩＣカード機能を持たせたメモリカード（例えば、「smartＳＤ」）が今後普及すると予測される。かかるＩＣカード機能付きのメモリカードには非接触通信用のアンテナが内蔵されているが、メモリカード自体が小型であるために内蔵アンテナも必然的に小型になり、通信距離の確保が重要な課題となる。例えば、特許文献２には、アンテナを内蔵したクレジットカード型のアダプタにＩＣカード機能付きメモリカードを装着することで通信距離を確保する技術が開示されている。
【特許文献１】特開２００５−２６０１６号公報
【特許文献２】特開２００２-２７９３７７号公報
【発明の開示】
【発明が解決しようとする課題】
【０００５】
しかしながら、特許文献２に記載されている従来例のようにクレジットカード型のアダプタを使用した場合、従来のメモリカード用ソケットには装着することができず、専用のソケットを新たに設計し直す必要があり、ソケットが大型化するとともにコストが大幅に増大するという問題があった。
【０００６】
本発明は上記事情に鑑みてなされたものであり、その目的は、コストの増大を抑えつつ小型化が図れるメモリカード用ソケットを提供することにある。
【課題を解決するための手段】
【０００７】
請求項１の発明は、上記目的を達成するために、アンテナを介した非接触通信によって外部とのデータ授受を行う集積回路を内蔵したメモリカードが挿抜自在に挿着されるソケットであって、メモリカードが挿抜自在に装着されるソケット本体と、ソケット本体に装着されたメモリカードのアンテナと対向する２次アンテナを有するアンテナブロックとを備え、ソケット本体は、前方に開口したカード挿入口を通してメモリカードが内部に挿入されるハウジングと、ハウジング内に設けられメモリカードが有する接続端子に接触導通する複数のコンタクトと、ハウジング内でメモリカードの挿抜方向にスライド自在に設けられカード挿入口から挿入されるメモリカードに連動してハウジング内をスライド移動するスライド部材と、ハウジングに対してカード挿入口に向かう向きにスライド部材を付勢する付勢手段と、メモリカードの接続端子がコンタクトに接触する保持位置よりも奥のロック位置までスライド部材が押し込まれるとスライド部材のカード挿入口へ向かう向きへの移動を禁止するとともに、スライド部材がロック位置よりも奥まで一旦押し込まれた状態で押力が解除されるとスライド部材を解放するロック手段とを具備し、アンテナブロックは、２次アンテナと、２次アンテナを保持するとともにハウジング外でスライド部材と連結された保持体とを具備することを特徴とする。
【０００８】
請求項２の発明は、上記目的を達成するために、アンテナを介した非接触通信によって外部とのデータ授受を行う集積回路を内蔵したメモリカードが挿抜自在に挿着されるソケットであって、メモリカードが挿抜自在に装着されるソケット本体と、ソケット本体に装着されたメモリカードのアンテナと対向する２次アンテナを有するアンテナブロックとを備え、ソケット本体は、前方に開口したカード挿入口を通してメモリカードが内部に挿入されるハウジングと、ハウジング内に設けられメモリカードが有する接続端子に接触導通する複数のコンタクトと、ハウジング内でメモリカードの挿抜方向にスライド自在に設けられカード挿入口から挿入されるメモリカードに連動してハウジング内をスライド移動するスライド部材と、ハウジングに対してカード挿入口に向かう向きにスライド部材を付勢する付勢手段と、メモリカードの接続端子がコンタクトに接触する保持位置よりも奥のロック位置までスライド部材が押し込まれるとスライド部材のカード挿入口へ向かう向きへの移動を禁止するとともに、スライド部材がロック位置よりも奥まで一旦押し込まれた状態で押力が解除されるとスライド部材を解放するロック手段とを具備し、アンテナブロックは、２次アンテナと、２次アンテナを保持する保持体と、ハウジング外でメモリカードの挿抜方向に沿って保持体をスライド自在に支持する支持手段と、ソケット本体に対してメモリカードが抜かれる向きに保持体を付勢する付勢手段とを具備し、ハウジングのカード挿入口近傍に設けられアンテナブロックの保持体のメモリカードが抜かれる向きへの移動を規制する規制手段を備えたことを特徴とする。
【０００９】
請求項３の発明は、請求項１又は２の発明において、２次アンテナは、スライド部材がロック位置にあるときにメモリカードのアンテナと対向し且つ対向方向におけるメモリカードのアンテナの投影範囲を囲む形状及び寸法に形成されたことを特徴とする。
【００１０】
請求項４の発明は、請求項１〜３の何れかの発明において、アンテナブロックは、保持体に実装されて２次アンテナの共振周波数を調整する電子部品を具備したことを特徴とする。
【発明の効果】
【００１１】
請求項１の発明によれば、アンテナブロックの２次アンテナによってメモリカードの通信距離を延ばすことができ、また、従来のソケットとほぼ同じ構造のソケット本体にアンテナブロックを追加するだけで済むから、コストの増大を抑えつつ小型化が図れる。
【００１２】
請求項２の発明によれば、アンテナブロックの２次アンテナによってメモリカードの通信距離を延ばすことができ、また、従来のソケットとほぼ同じ構造のソケット本体にアンテナブロックと規制手段を追加するだけで済むから、コストの増大を抑えつつ小型が図れ、しかも、ソケット本体へのメモリカードの挿抜を従来のソケットと同等に行うことができる。
【００１３】
請求項３の発明によれば、２次アンテナとメモリカードのアンテナとの相対的な位置関係が一義的に決まるため、非接触通信における通信距離及び信頼性の向上が図れる。
【００１４】
請求項４の発明によれば、アンテナブロックの小型化が図れる。
【発明を実施するための最良の形態】
【００１５】
（実施形態１）
本発明に係るメモリカード用ソケットの実施形態を、内蔵したアンテナを介した非接触通信によって外部とのデータ授受を行うＩＣカード機能付きのＳＤメモリカード（以下、単にメモリカードと呼ぶ。）を挿抜自在に接続するソケットを例に図１〜図３を参照して説明する。尚、以下の説明では図１における上下の向きをそれぞれ上向き及び下向きと規定し、左斜め上方の向きを左向き、右斜め下方の向きを右向き、左斜め下方の向きを前向き、右斜め上方の向きを後向きと規定して説明を行う。
【００１６】
図１に示すように、本実施形態で用いるメモリカードＭＣは従来周知のＳＤメモリカードにアンテナ（ループコイル）１００並びに集積回路（ＩＣ）を内蔵してなり、外周形状が略矩形状であって、後側の上面に複数個（９個）の接続端子１０１が左右に並べて設けられている。また、メモリカードＭＣの後部（挿入側）の一方の角（左後ろの角）を落として逆差し防止用の傾斜カット部１０２を形成してあり、メモリカードＭＣの左側縁には、傾斜カット部１０２よりもやや前側の部位に矩形状に陥没したロック用切欠（図示せず）が設けられている。さらにメモリカードＭＣの右側縁には、手操作で摘みを前後にスライドさせることでデータの書き込み可能・禁止を切り替えるライトプロテクトスイッチ１０３が設けられている。
【００１７】
次に本実施形態のソケットの構造を詳細に説明する。
【００１８】
図１は本実施形態の分解斜視図であり、このメモリカード用ソケットは、メモリカードＭＣが挿抜自在に装着されるソケット本体Ａと、ソケット本体Ａに装着されたメモリカードＭＣのアンテナ１００と対向する２次アンテナ４０を有したアンテナブロックＢとを備える。ソケット本体Ａは特許文献１に記載されている従来のソケットとほぼ共通の構成を有するものであって、それぞれ厚さが極薄いステンレス金属板を打ち抜き且つ曲げ加工することにより形成されたベースシェル１及びカバーシェル２からなり、ベースシェル１上にカバーシェル２を被着することで前部にメモリカードを挿入するカード挿入口３ａが開口した扁平な箱状のハウジング３と、ハウジング３の後部内に装着されるコンタクトブロック（図示せず）と、コンタクトブロックの前方側のハウジング３内に前後方向（メモリカードＭＣの挿抜方向）に移動自在に配置されるスライダ５（スライド部材）とを主要な構成要素とする。
【００１９】
ベースシェル１は、上方からみて略コ字形に形成され底板６ａの左右両側の側縁から下方へ垂下された側壁６ｂ，６ｂを有するもので、前後端が開放されている。また、ベースシェル１の底板６ａの後部にはコンタクトブロックにそれぞれ保持される複数のコンタクト（図示せず）がメモリカードＭＣによって上方に押された時に接触しないように逃がすための逃がし孔１４が複数貫設されている。一方、左右の側壁６ｂ，６ｂには係止孔３５が前後方向に３個ずつ貫設してある。また左側の側壁６ｂには、前後方向における中間部を内側方向に切り起こすことで、スライダ５の前後方向の移動を規制するピン（図示せず）の一端を支持するＬ字状片（図示せず）が形成してある。Ｌ字状片はその立片に軸孔を形成して、この軸孔にピンの一端の軸部を回動自在に軸支するようになっている。ピンはスライダ５の左側の腕部５ｃの外側面に形成した凹み部内に配置され、他端の軸部を腕部５ｃの前部外側面に形成した後述のハートカム溝部３０に移動自在に係入させている。さらに、左側の側壁６ｂの前部には押圧ばね片（図示せず）が切り起こしによって形成されており、この押圧ばね片によりピンの前側の側面がスライダ５の腕部５ｃ側に押圧されて、軸部の先端部がハートカム溝部３０のガイド溝３０ｂ底部の凹凸面に接触する。
【００２０】
またカバーシェル２は、天板２０の左右両側に折り曲げによって上向きの側壁（図示せず）を一体に設けてあり、天板２０の後端には所定間隔で複数の上向きの突出片（図示せず）を折り曲げ形成している。これらの突出片はベースシェル１上にカバーシェル２を被着する際に、ベースシェル１の後部下面に配置されるコンタクトブロックの基体下面に開口するように貫設された圧入孔に圧入してコンタクトブロックを固定するためのものである。また、両側壁には、側壁６ｂ，６ｂの係止孔３５…に対応する位置に弾性係止片３４…が切り起こしによって形成されている。
【００２１】
コンタクトブロックは、メモリカードＭＣの後部上面に並行配設した複数の接続端子１０１に各々接触する複数のコンタクトと、メモリカードＭＣの挿入検出用のスイッチ片と、ライトプロテクトスイッチ１０３の位置検出用のスイッチ片とを樹脂製の基体にインサート成形によって一体保持させてなり、基体の前面側（カード挿入口３ａ側）にはコンタクト及びスイッチ片の接触側を突出させ、基体の後面側には回路基板等に夫々を半田付けするための半田付け端子部１３…を突出させている（図３参照）。尚、挿入検出用のスイッチ片は基体の左端部に一体保持されて、メモリカードＭＣの傾斜カット部１０２に対向し、ライトプロテクトスイッチ１０３の位置検出用のスイッチ片はメモリカードＭＣのライトプロテクトスイッチ１０３に対応して基体の右端部に一体保持されている。
【００２２】
スライダ５は合成樹脂成型品からなり、左右に長くメモリカードＭＣの後端に当接する主部５ａと、主部５ａの左右の端部からそれぞれ前方に突出する腕部５ｂ，５ｃとでコ字型に形成されている。また、主部５ａと左側の腕部５ｃとで囲まれた入り隅にはメモリカードＭＣの傾斜カット部１０２に衝合する傾斜面１５ａを前面に形成した張出部１５が設けられており、さらに主部５ａの上面には、スライダ５が押し込まれた時にコンタクトを前方に突出させるための凹溝１６が複数個設けられている。
【００２３】
各腕部５ｂ，５ｃは、メモリカードＭＣの左右の側縁をガイドするものであって、メモリカードＭＣのロック用切欠が設けられた方の側縁をガイドする左側の腕部５ｃには、メモリカードＭＣの後端部をスライダ５の主部５ａに当接させた状態でロック用切欠に対応する部位に下側に向かって突出する山形突起（図示せず）が突設されている。また、スライダ５の各腕部５ｂ，５ｃには、それぞれ図示しないコイルばねの一端が挿入される溝（図示せず）が設けられている。これらの溝の前端内面はコイルばねの弾発力を受ける面となり、両腕部５ｂ，５ｃが均等にコイルばねの弾発力を前方方向に受けることで、スライダ５がハウジング３内をスムーズに前後方向に摺動できることになる。なお各コイルばねの他端は、それぞれベースシェル１に取り付けられている。
【００２４】
更に左側の腕部５ｃの前部外側面にはハートカム溝部３０を形成してある。このハートカム溝部３０は、図４に示すようにハートカム３０ａとガイド溝３０ｂとから構成され、ピンの軸部をガイド溝３０ｂに係入し、スライダ５の前後移動に伴い、ガイド溝３０ｂとガイド溝３０ｂの底面に形成した凹凸面３０ｃとでピンの軸部のガイド溝３０ｂ内の相対的な移動をガイドするようなっている。
【００２５】
また、メモリカードＭＣの脱落を防止するロック片（図示せず）が、カバーシェル２の左後端部を切り起こして形成されており、ロック片の前端部が左右方向に撓み可能となっている。ロック片の前後方向における中間部には、ロック片の前端部を後部よりも左側に突出させる段部が設けられ、さらにロック片の前端には内側（右側）に突出するロック爪が曲成されている。一方、スライダ５の左側の腕部５ｃの下面には、ロック片に対向する部位に腕部５ｃの左右にそれぞれ解放された凹欠部（図示せず）が形成されており、この凹欠部を介してロック片のロック爪を腕部５ｃの内側面側へ臨ませるようになっている。
【００２６】
一方、アンテナブロックＢは、帯板状の導電部材によって螺旋状に形成されたループコイルからなる２次アンテナ４０と、２次アンテナ４０がインサート成形された矩形平板状の合成樹脂成型品からなる保持体４１とで構成される。ここで２次アンテナ４０は、後述するようにスライダ５がロック位置にあるときにメモリカードＭＣのアンテナ１００と対向し且つ対向方向（図３において紙面に垂直な方向）におけるメモリカードＭＣのアンテナ１００の投影範囲を囲む形状及び寸法に形成されている。但し、前方側においては上下方向から見てメモリカードＭＣのアンテナ１００とアンテナブロックＢの２次アンテナ４０とが重なるようにしてある。
【００２７】
上述のように構成されるアンテナブロックＢは、スライダ５の両腕部５ｂ，５ｃの上面に突設された複数の突起１７によってスライダ５に連結される。これらの突起１７はスライダ５と一体に形成されており、ベースシェル１の腕部５ｂ，５ｃ上面に対向する面に形成されたスライド溝７に挿通される。すなわち、スライド溝７に挿通された各突起１７にかしめや溶着あるいは接着等の適宜の方法でアンテナブロックＢの保持体４１を固定すれば、スライダ５とともにアンテナブロックＢがハウジング３に対して前後方向に移動可能となる。
【００２８】
次にメモリカードＭＣをメモリカード用ソケットに装着する場合の各部の動作について説明する。メモリカードＭＣの未挿入状態では、コイルばねの弾発力を受けてスライダ５がアンテナブロックＢとともに前方へ移動し、両腕部５ｂ，５ｃの前端にスライダ５の両腕部５ｂ，５ｃの先端が当接することで前方方向への移動が規制されており、この状態ではピンの一端がハートカム溝部３０のガイド溝３０ｂの後端位置（図４のイ）に移動している。また、この状態ではロック片の段部よりも前側の部位が、腕部５ｃの凹欠部よりも後側に設けた縦壁と当接して外側に撓められ、ロック片のロック爪が凹欠部内に収納されて、腕部５ｃの内側面よりも内側に突出しないように規制されている状態にある。
【００２９】
この状態でメモリカードＭＣを正しい向きにしてカード挿入口３ａからハウジング３内に挿入すると（図２（ａ）参照）、メモリカードＭＣがスライダ５にガイドされ、更にメモリカードＭＣをハウジング３内に押し込むと、メモリカードＭＣの傾斜カット部１０２がスライダ５の張出部１５の傾斜面１５ａに衝合するとともに、メモリカードＭＣの後部が主部５ａに衝合し、コイルばねの弾発力に抗してスライダ５を後方へ押すことになる。この際、左側の腕部５ｃに形成された山形突起をメモリカードＭＣの左側縁の後部が乗り越えて、メモリカードＭＣのロック用切欠内に山形突起が入り込む。
【００３０】
その後メモリカードＭＣを更に押し込むと、スライダ５の後退によってピンの軸部はガイド溝３０ｂ底部の凹凸面３０ｃによってガイドされながらハートカム３０ａの上側のガイド溝３０ｂ（図４中のロ）を移動することになる。そしてスライダ５の主部５ａ後面がコンタクトブロックの基体前面に当たる位置に近い位置までメモリカードＭＣを押し込むと、ピンの軸部がガイド溝３０ｂの先端に当たる位置ニ（図４参照）へ至ることになり、それ以上の押し込みができなくなる。この位置でメモリカードＭＣに加えていた押し込み力を解除すると、コイルばねの弾発力によりスライダ５がメモリカードＭＣと共に前方へ戻りかけるが、ピンの軸部がガイド溝３０ｂに案内されながら移動してハートカム３０ａの凹部３０ｄに嵌り込むことになる。従ってこれ以上のスライダ５の前方移動が規制され、メモリカードＭＣはその位置でハウジング３内に留まることになる。またスライダ５が上記の位置まで移動すると、腕部５ｃに設けた縦壁の後端がロック片の段部よりも前側に移動するので、縦壁による規制が無くなってロック片の先部が内側に撓み、ロック爪が凹欠部から内側に突出してロック用切欠に係入し、メモリカードＭＣをロックする（図２（ｂ）参照）。ここに、ハートカム溝部３０とピンとロック片とでロック機構が構成される。この位置（ロック位置）ではスライダ５の主部５ａ上面の凹溝１６…から前方に突出する各コンタクトの先部がメモリカードＭＣ裏面の接続端子１０１に接触している。
【００３１】
以上のように装着されたメモリカードＭＣをソケットから取り出す際には、まずカード挿入口３ａから露出するメモリカードＭＣの後部を挿入方向に押してスライダ５及びアンテナブロックＢとともにメモリカードＭＣを挿入方向へ移動させる（図２（ｃ）参照）。この移動に伴ってピンの軸部がハートカム３０ａの凹部３０ｄから離脱するとともにガイド溝３０ｂにガイドされて凹部３０ｄより下側のガイド溝３０ｂ内へ移動する。そしてメモリカードＭＣの押し込み力を解除すると、スライダ５並びにアンテナブロックＢはコイルばねの弾発力により前方へ移動する。この移動によってスライダ５の腕部５ｃに設けた縦壁の後端がロック片の段部よりも後側に移動して、ロック片の段部よりも前側の部位が縦壁によって外側に押し撓められ、ロック片の先端のロック爪が凹欠部内に後退してメモリカードＭＣのロックを解除する。
【００３２】
この時同時に、ピンの軸部はガイド溝３０ｂにガイドされながらハートカム３０ａの下側のガイド溝３０ｂ（図４のハ）を通って後端側へ移動する。また、スライダ５及びアンテナブロックＢはコイルばねの弾発力によってカード挿入口３ａ側へ移動して図２（ａ）に示す状態に復帰することになり、メモリカードＭＣの後部がカード挿入口３ａから外部へ大きく露出し、メモリカードＭＣをハウジング３から取り出すことができる。
【００３３】
而して、メモリカードＭＣを本実施形態のメモリカード用ソケットに装着すれば、メモリカードＭＣに対向配置されたアンテナブロックＢの２次アンテナ４０によってメモリカードＭＣの通信距離を延ばすことができる。しかも、従来のメモリカード用ソケットとほぼ同じ構造のソケット本体ＡにアンテナブロックＢを追加するだけで済むから、コストの増大を抑えつつ小型化が図れるものである。また、上述のようにアンテナブロックＢがソケット本体Ａのスライダ５と連動して移動するので、ソケット本体ＡへのメモリカードＭＣの挿入がアンテナブロックＢによって邪魔されることがなく、従来と同等の操作性が確保できる。ここで、２次アンテナ４０は、スライダ５がロック位置にあるときにメモリカードＭＣのアンテナ１００と対向し且つ対向方向におけるメモリカードＭＣのアンテナ１００の投影範囲を囲む形状及び寸法に形成されており、２次アンテナ４０とメモリカードＭＣのアンテナ１００との相対的な位置関係が一義的に決まるため、非接触通信における通信距離及び信頼性の向上が図れるという利点がある。なお、アンテナブロックＢには保持体４１に実装されて２次アンテナ４０の共振周波数を調整する電子部品（例えば、チップコンデンサ）が設けられ、電子部品の定数によって２次アンテナ４０の共振周波数をメモリカードＭＣの非接触通信における周波数に合わせることができ、しかも、電子部品を保持体４１に実装することでアンテナブロックＢの小型化も図れる。
【００３４】
（実施形態２）
図５に本実施形態の斜視図を示す。但し、本実施形態の基本構成は実施形態１と共通であるから、共通の構成要素には同一の符号を付して説明を省略する。
【００３５】
本実施形態におけるアンテナブロックＣは、ループコイルからなる２次アンテナ４０がインサート成形された矩形板状の保持体４１と、ソケット本体Ａのハウジング３に対してメモリカードＭＣの挿抜方向（前後方向）に沿って保持体４１をスライド自在に支持する一対の支持部材２１，２１と、ソケット本体Ａに対してメモリカードＭＣが抜かれる向きに保持体４１を付勢する一対のコイルばね２２，２２とを具備する。支持部材２１は断面形状が略コ字形の樋状に形成された合成樹脂成型品からなり、その内側にソケット本体Ａ及び保持体４１の左右両側の端部が納められるとともにソケット本体Ａのハウジング３に固定されている。すなわち、一対の支持部材２１，２１の内側に左右両側の端部が支持された状態で保持体４１がソケット本体Ａのハウジング３に対して前後方向に移動自在となっている。コイルばね２２は前端が保持体４１の後端側の左右両端部に固定され、後端が例えばメモリカード用ソケットを実装する電子機器の内壁（図示せず）に固定されて保持体４１を前方へ向けて弾性付勢する。
【００３６】
一方、コイルばね２２によって弾性付勢されている保持体４１は、ハウジング３のカード挿入口３ａ近傍に設けられた一対の規制突起２３，２３に前側の左右両端部が当接することでメモリカードＭＣが抜かれる向きへの移動が規制されている。これら一対の規制突起２３，２３は、例えばソケット本体Ａのハウジング３から前方へ延出した延出片（図示せず）の先端に突設される。なお、規制突起２３，２３の位置は、メモリカードＭＣがロック位置にあるときにメモリカードＭＣの前端と保持体４１の前端とが前後方向において同位置となるように設定されている。
【００３７】
本実施形態のメモリカード用ソケットにメモリカードＭＣを装着する場合、実施形態１と同様にメモリカードＭＣを正しい向きにしてカード挿入口３ａからハウジング３内に挿入すればよい（図６（ａ）（ｂ）参照）。ここで、ロック位置からさらに奥にメモリカードＭＣを押し込む際、支持部材２１，２１によって支持されている保持体４１も一緒に押し込むことができる（図６（ｃ）参照）。そして、ロック機構によってメモリカードＭＣがロック位置にロックされることでメモリカードＭＣの装着が完了する。
【００３８】
一方、メモリカードＭＣをソケットから取り出す際、まずカード挿入口３ａから露出するメモリカードＭＣの後部を挿入方向に押してスライダ５及び保持体４１とともにメモリカードＭＣを挿入方向へ移動させれば（図６（ｃ）参照）、ロック機構のロックが解除され、メモリカードＭＣの後部がカード挿入口３ａから外部へ大きく露出し、メモリカードＭＣをハウジング３から取り出すことができる。このとき、アンテナブロックＣの保持体４１は規制突起２３，２３によってロック位置におけるメモリカードＭＣの先端と同位置で止まるため、メモリカードＭＣの先端部が保持体４１の先端よりもさらに前方に突出することになる。すなわち、実施形態１ではアンテナブロックＢがスライダ５に連結されてスライダ５と一体に移動するため、ロック解除時においてもメモリカードＭＣの先端とアンテナブロックＢの先端とがほぼ同位置にあってメモリカードＭＣの先端部分を摘みにくい。これに対して本実施形態では、ロック解除時にはメモリカードＭＣの先端がロック位置に規制されたアンテナブロックＣの保持体４１の先端よりも前方へ突出するので、メモリカードＭＣの先端部分が摘みやすくなっている。
【００３９】
なお、上述の実施形態１，２ではアンテナを内蔵し且つＩＣカード機能を有するＳＤメモリカードの代わりに、アンテナを内蔵せずにＩＣカード機能のみを有するminiＳＤカードをアンテナ内蔵型のアダプタに装着したものも装着可能であり、このようなもの（miniＳＤカード＋アダプタ）においてもアダプタに内蔵されたアンテナの通信距離をアンテナブロックＢ，Ｃの２次アンテナ４０によって延ばすことができる。
【図面の簡単な説明】
【００４０】
【図１】本発明の実施形態１を示す分解斜視図である。
【図２】同上にメモリカードを装着する際の動作説明図である。
【図３】同上のメモリカードを装着した状態の平面図である。
【図４】同上のハートカム溝部の要部拡大図である。
【図５】本発明の実施形態２を示す斜視図である。
【図６】同上にメモリカードを装着する際の動作説明図である。
【符号の説明】
【００４１】
ＭＣ  メモリカード
Ａ  ソケット本体
Ｂ  アンテナブロック
３  ハウジング
３ａ  カード挿入口
５  スライダ
１７  突起
４０  ２次アンテナ
４１  保持体
【図１】
2006318216.tif 000003
【図２】
2006318216.tif 000004
【図３】
2006318216.tif 000005
【図４】
2006318216.tif 000006
【図５】
2006318216.tif 000007
【図６】
2006318216.tif 000008